(57)【要約】【課題】  発光ダイオード、有機ＥＬなどの指向性の強い光源によってなる照明装置において、光束の方向を容易に調整し且つ簡便に固定して、配光を適切に保ち、更に、端子やソケット、ランプカバーの改造、元来の形状などに制約されず、汎用のソケットを用いることのできるランプ保持構造を提供する。【解決手段】  照明装置は、直管型の光源ランプ、透光ケース、及び光源ランプと透光ケースとの間隙を介して光源を保持する固定部材を具備する。さらに、固定部材は、環状の弾性体であり、着脱自在に光源ランプの周囲に装着され、その外周の一部が透光ケースに接触するように、外周に突起部が形成される。また、固定部材は、透光ケースの開口より内側で光源ランプを保持し、その全体が透光ケースに内蔵される。【選択図】  図１
2012109068.tif 000002
【特許請求の範囲】
【請求項１】
直管型の光源ランプ、該光源ランプを収納する透光ケース、及び該光源ランプと該透光ケースとの間隙を介して該光源ランプを保持する固定部材を具備し、
該固定部材は、環状の弾性体であり、前記光源ランプに挿通して装着され、
その外周に、該外周の一部が前記透光ケースの内壁に接触して前記光源ランプを固定するように突起部が形成されていることを特徴とする照明装置。
【請求項２】
請求項１において、前記光源ランプは、平面状の発光体又は点状若しくは線状の発光素子を実装した基板からなる面光源を内部に具備していることを特徴とする照明装置。
【請求項３】
請求項１又は２において、前記固定部材は前記光源ランプに着脱自在に装着されることを特徴とする照明装置。
【請求項４】
請求項１乃至３において、前記固定部材の全体が前記透光ケースに内蔵されていることを特徴とする照明装置。
【請求項５】
請求項１乃至４において、前記突起部は、環状で断面矩形である前記固定部材の本体部の外面に形成されたリブであることを特徴とする照明装置。
【請求項６】
請求項５において、前記突起部は、前記本体部の周方向に沿って間欠的に設けられたリブであることを特徴とする照明装置。
【請求項７】
直管型の光源ランプ、該光源ランプを収納する透光ケース、及び該光源ランプと該透光ケースとの間隙を介して該光源ランプを保持する固定部材を具備する照明装置の組立において、
環状の弾性体からなる着脱自在の前記固定部材を前記光源ランプに挿通して装着する工程、
前記固定部材を装着した前記光源ランプを前記透光ケースに収納する工程、
及び前記固定部材の外周に形成された突起部を前記透光ケースの内壁に接触させて、前記透光ケースに収納した前記光源ランプを固定する工程を備えていることを特徴とする照明装置の組立方法。
【請求項８】
直管型の光源ランプ及び該光源ランプを収納する透光ケースを具備する照明装置に用いられ、
環状の弾性体であり、前記光源ランプに挿通して着脱自在に装着され、
前記光源ランプと前記透光ケースとの間隙を介して前記光源ランプを保持し、
及び外周の一部が前記透光ケースに接触して前記光源ランプを固定するように該外周に突起部が形成されたことを特徴とする固定部材。
【発明の詳細な説明】
【技術分野】
【０００１】
本発明は、ＬＥＤ（発光ダイオード）、有機ＥＬ（エレクトロ・ルミネセンス）素子など指向性の強い光源を用いた照明装置に関し、更に具体的には、直管型の光源ランプの保持機構に関する。
【背景技術】
【０００２】
ＬＥＤ素子は、高効率の光源であるため、様々な照明分野への応用が期待され、実用化されている。ＬＥＤ光源は、点光源であり、通常、基板上に載置して使用するので、光束が一方向的であるという特性を持ち、従来型の蛍光管のように全方向の配光を前提とした仕様ができない場合もある。
【０００３】
つまり、上記のように指向性が強いため、発光の向きを調整し、固定し、維持するのが必須となる。ＬＥＤ素子の基板が光の向きが局所的な面光源であるので、回転などにより配光がずれて適正な場所に投光できない事態が生じうるからである。例えば、食品展示用又は食品保管用の冷蔵ケースに用いられる照明装置においては、天井用の照明と異なり、直管型の光源ランプの長軸及び径方向の並進は固定されるが、周方向への回転が止められていない場合がある。かかる仕様の端子ソケットは、従来型の蛍光管を適用する限りなんら支障はないものの、ＬＥＤ光源の光源ランプを適用した場合、ＬＥＤ光源ランプが回転するため、光束方向が適正なものからずれるという問題が生ずる。
【０００４】
上記のような光源の回転に対して、これを防止する構造が各種提案されている。例えば、特許文献１及び２では、一方向性の面光源を用いる照明装置に光源を強固に把持するためのクランプを設け、このクランプと光源であるパイプとの間に、光源の回転するのを防ぐ滑り止め部材を介した構造（特許文献１）、及びＬＥＤ照明灯の細長管の両端に取付けられたブッシングの口金具とこれらの口金具およびブッシングの少なくとも一方に設けられ、ＬＥＤ照明灯の回転を防止する回転防止手段を具備するもの（特許文献２）がそれぞれ開示されている。
【０００５】
しかしながら、これらの技術では、次のような問題が残る。クランプにより光源が強く緊縛されるので、各種調整のため光源を変位する際、部品の着脱が手間になる。クランプのような把持構造を導入するには相応の出費が伴なう。光源ランプと共に収納されるという狭く限られた空間的条件下では、把持構造が不可能となる。光源ランプを固定する部材を光源ランプの端部に装着する場合、当該部材は、その光源ランプやソケットの形状に依存することになるので、汎用性が限られる。かかる固定部材の寸法や形状によっては、光源をランプ装置に挿入するのに困難を伴う虞がある。
【先行技術文献】
【特許文献】
【０００６】
【特許文献１】特開２００９−０５４５２９号公報
【特許文献２】特開２００２−１４０９０１号公報
【発明の概要】
【発明が解決しようとする課題】
【０００７】
本発明の目的は、上述のような状況に鑑み、従来の照明装置においても改造や部品交換が不要で、取り扱いやすく、簡便に光の向きを調整し、固定できる光源保持構造及びそのような光源保持構造の導入された照明装置を提供することである。
【課題を解決するための手段】
【０００８】
本発明者は、これら目的を達すべく鋭意検討した結果、光源ランプとその光源ランプを収納する透光ケースとの間に介在して光源ランプを保持する固定部材の形態を工夫し、上述ごとき障害の解消される設計を見出し、本発明の完成に至った。
【０００９】
本発明は、直管型の光源ランプ、該光源ランプを収納する透光ケース、及び該光源ランプと該透光ケースとの間隙を介して該光源ランプを保持する固定部材を具備する照明装置において、該固定部材が環状の弾性体であり、前記光源ランプに挿通して装着され、及び前記固定部材の外周に、該外周の一部が前記透光ケースに接触して前記光源ランプを固定するように突起部が形成されていることを特徴とする。
【００１０】
さらに本発明は、上記構成において、前記光源ランプが平面状の発光体又は点状若しくは線状の発光素子を実装した基板からなる面光源を内部に具備していることを特徴とする。
【００１１】
さらに本発明は、上記構成において、前記固定部材は前記光源ランプに着脱自在に装着されることを特徴とする。
【００１２】
さらに本発明は、上記構成において、前記固定部材の全体が前記透光ケースに内蔵されていることを特徴とする。
【００１３】
さらに本発明は、上記構成において、前記突起部が、環状で断面矩形である前記固定部材の本体部の外面に形成されたリブであることを特徴とする。
【００１４】
さらに本発明は、上記構成において、前記固定部が、前記本体部の周方向に沿って間欠的に設けられたリブであることを特徴とする。
【００１５】
また本発明は、直管型の光源ランプ、該光源ランプを収納する透光ケース、及び該光源ランプと該透光ケースとの間隙を介して該光源ランプを保持する固定部材を具備する照明装置の組立において、環状の弾性体からなる着脱自在の固定部材を前記光源ランプに挿通して装着する工程、前記固定部材を装着した前記光源ランプを前記透光ケースに収納する工程、及び前記固定部材の外周に形成された突起部を前記透光ケースの内壁に接触させて、前記透光ケースに収納した前記光源ランプを固定する工程を備えていることを特徴とする。
【００１６】
また本発明は、直管型の光源ランプ及び該光源ランプを収納する透光ケースを具備する照明装置に用いられる固定部材であって、環状の弾性体であり、前記光源ランプの周囲に挿通して着脱自在に装着され、前記光源ランプと前記透光ケースとの間隙を介して前記光源ランプを保持し、及び前記固定部材の外周の一部が前記透光ケースに接触して前記ランプを固定するように該外周に突起部が形成されたことを特徴とする。
【発明の効果】
【００１７】
本発明の光源保持構造を導入した照明装置によれば、簡単に光の向きを調整し、固定し、維持できるのみならず、汎用性が高まり、旧来型の照明装置にＬＥＤ光源など指向性の強い光源ランプを転用することが可能となり、一般使用者にも取り扱いが容易になる。
【００１８】
本発明は、直管型の光源ランプ、該光源ランプを収納する透光ケース、及び該光源ランプと該透光ケースとの間隙を介して該光源ランプを保持する固定部材を具備する照明装置において、該固定部材が環状の弾性体であり、前記光源ランプに挿通して装着され、及び前記固定部材の外周に、該外周の一部が前記透光ケースに接触して固定するように突起部が形成されていることにより、光源ランプを取り付ける際に、固定部材を付した光源ランプを透光ケースに挿入する作業が簡便且つ円滑に行われうる。しかも、作業終了時に突起部が潰れるので、固定部材は光源ランプと透光ケースとの間隙の大きさに制約されずに用いられる。そして、光源ランプは、自重により透光ケースに圧着され、光束方向の固定及び維持も確実である。
【００１９】
さらに本発明は、上記構成において、前記光源ランプが平面状の発光体又は点状若しくは線状の発光素子を実装した基板からなる面光源を内部に具備する故に、指向性の強い一方向的な光源ランプに対して特に有用である。
【００２０】
さらに本発明は、上記構成において、前記固定部材が前記光源ランプに着脱自在に装着されることにより、光源ランプの交換が容易となり、光源ランプ及び透光ケースの異なる別種の照明装置へ同一の固定部材を容易に使い回しできる。のみならず、固定部材の配置されうる場所や作業時間の制約が軽減される。
【００２１】
さらに本発明は、上記構成において、前記固定部材の全体が前記透光ケースに内蔵されていることにより、透光ケースの外部で把持するより構造が簡素となり、透光ケースに、光源ランプや透光ケースを把持する手段を外部から追加して設けるのが不要となる。このように、本発明の光源保持機構は、透光ケース内部の極狭い空間に導入可能なので、多種の旧来型照明装置への適用においても、透光ケース若しくは光源ランプのブッシング、端子又はソケットの改造や部品交換が不要で、汎用性が高い。
【００２２】
さらに本発明は、上記構成において、前記突起部が、環状で断面矩形である前記固定部材の本体部の外面に形成されたリブであることにより、固定部材の装着された光源ランプを筒状の透光ケースに挿入して収納する際に固定部材がずれることはない。この固定部材の内周面で該光源ランプとの間に生ずる接触面積と、その外周面で該透光ケースとの間に生ずる接触面積とにおいて大きな差異がもたらされる。接触面積はそれぞれの摩擦力に相応し、外周面の摩擦の方が小さくなるのに相応して、光源ランプの挿入のしやすさは増す。そして、外周面での摩擦は、内周面に比して充分に小さくなっているので、上記の挿入作業の間、固定部材は、光源ランプに装着された当初の位置からずれない。
【００２３】
さらに本発明は、前記突起部が、前記本体部の周方向に沿って間欠的に設けられたリブであることにより、安価で確実に、上述のような簡便且つ円滑な光源ランプの取り付けを可能とし、既存の照明装置においても改造などの制約なく適用可能な、汎用性の高い光源ランプ保持機構を照明装置に導入できる。
【００２４】
また本発明は、直管型の光源ランプ、該光源ランプを収納する透光ケース、及び該光源ランプと該透光ケースとの間隙を介して該光源ランプを保持する固定部材を具備する照明装置の組立方法において、環状の弾性体からなる着脱自在の前記固定部材を前記光源ランプに挿通して装着する工程、前記固定部材を装着した前記光源ランプを前記透光ケースに収納する工程、及び前記固定部材の外周に形成された突起部を前記透光ケースの内壁に接触させて、前記透光ケースに収納した前記光源ランプを固定する工程を備えていることにより、透光ケースへの光源ランプの挿入作業が簡便且つ円滑に行われる。のみらず、光源ランプの固定を解除し、取り出しするのも容易であるため、光源ランプを回転させることで光の向きを取付的に変動して微調整するのが容易である。
【００２５】
また本発明は、直管型の光源ランプ及び該光源ランプを収納する透光ケースを具備する照明装置に用いられ、環状の弾性体であり、前記光源ランプに挿通して着脱自在に装着され、前記光源ランプと前記透光ケースとの間隙を介して前記光源ランプを保持し、及び外周の一部が前記透光ケースに接触して前記光源ランプを固定するように該外周に突起部が形成された固定部材であることにより、透光ケースの開口や光源ランプの端部に対応するための円蓋状の部分のない形状が可能である。ゆえに、固定部材の加工が容易になり、固定部材は安価になる。しかも、上述のごとく、光源ランプの取付が簡便且つ円滑であり、光束方向の固定及び維持が確実な照明装置を実現できる。かかる照明装置では、光源ランプと透光ケースとの間隙という狭い空間に固定部材が収まるので、既存の照明装置に、前記固定部材を導入するだけで他に改造も要せず、指向性の強い光源ランプを適用できる。
【図面の簡単な説明】
【００２６】
【図１】本発明の実施形態の概念図である。
【図２】本発明の実施形態の固定部材の斜視図、正面図及び側面図である。
【図３】本発明の実施形態が完成した照明装置で光源ランプ端部を見た斜視図である。
【図４】本発明の実施形態を各段階ごとに概念的に示す工程図である。
【発明を実施するための形態】
【００２７】
以下、本発明の実施形態を図１乃至４により図説する。これら実施形態では、照明装置１のうち、直管型の光源ランプ２、透光ケース３、ゴムリング４（固定部材に相当）、ランプソケット５及びクランプ６を図示している。尚、光源ランプ２に電源を供給する給電部及び照明装置１の固定される冷蔵ケースなどは省略し、図示していない。照明装置１の完成した状態において光源ランプ２と透光ケース３又は光源ランプ２を据え付けるランプソケット５との間隙４ａは充分に狭い（図３）。透光ケース３及びランプソケット５の一方又は両方は、照明装置１から取り外し可能であり、光源ランプ２を交換できる。そして、本発明の特性上、図３から解るように、透光ケース３及びランプソケット５のいずれも光源ランプ２の回転Ｒを防止する回転止めとしては機能しない。ゴムリング４がなければ、照射角Ｄ（紙面上方）は、回転Ｒによりずれる虞がある。
【００２８】
光源ランプ２は、図１及び図３に示すように、ほぼ円柱形で、端部２ａおよび中間部２ｂで構成され、端部２ａは、ブッシング２１、口金２２及びランプピン２３により構成される。ここでは端部２ａが光源ランプ２の両端で形成されているが、このような端部２ａは片端のみで形成されてもよい。光源ランプ２の端部２ａはランプソケット５と着脱できるようになっている。端部２ａの寸法、形状、材料などには、既存の設計を用いてよい。
【００２９】
光源ランプ２の中間部２ｂは、図３に見られるように、カバー部２４及びヒートシンク部２５からなる。カバー部２４は通常、半円筒形状で照明装置１の光源となる部位であり、発光素子を実装した基板を覆って、ヒートシンク部２５と接合している。カバー部２４は、透明又は半透明の透光性の材料からなり、特定波長の光線（紫外線、赤外線など）を吸収し遮断するようにしてもよい。ヒートシンク部２５は通常、中間部２ｂにおいてカバー部２４以外の部位を構成し、発光素子を実装した基板と接合されている。それゆえ、放熱のために、フィンやリブを有して形成され、伝熱性の良い金属などの材料からなる。また、中間部２ｂの円筒形状が、屈曲するなどした変形体であってランプソケット５が回転止めとして固定しない場合でも、光源ランプ２の一部にゴムリング４を装着できれば、透光ケース３の形状及び寸法の許す限り、光源ランプ全体の回転を防止するために本発明による回り止めを照明装置に導入することは可能である。
【００３０】
光源ランプ２は、上述の基板のような面光源により機能する。面光源は、平面状の発光体又は点状若しくは線状の発光素子を載置した基板からなる平面状であるので、従来の蛍光管と違って、光源ランプ２は円筒状でありながら、その回転対称の主軸から全方位に光束を向けることができない。尚、平面状の発光体には、有機ＥＬパネル、発光素子にはＬＥＤ（発光ダイオード）などが一般的に用いられる。かくして、光源ランプ２は、その回転対称の主軸に対して非対称でヒートシンク部２５に質量が偏在化する。照明装置１は、回り止めとなる手段が存在しなれば、光源ランプ２が滑り、回転し、配光（照射角Ｄ）が所期からずれる虞に晒される。
【００３１】
例えば、冷蔵ケース用の照明装置１は通常、天井照明などと違い、光源ランプ２の回転Ｒに対する固定が光源ランプ２の固定器具自体に施されていない。そのため光源ランプ２は、放熱側（ヒートシンク部２５）の重量が重く、光源（カバー部２４）が上向きに回転してしまう。こうなると、照明装置１の下に展示されている商品に光が当たらなくなる。
【００３２】
透光ケース３は、光源ランプ２を内部に収納し、主に中間部２ｂを覆う略筒状の部材であり、その径が光源ランプ２より若干大口径で、一般に筒状である。本実施形態においては、透光ケース３の全長が光源ランプ２より短いが、光源ランプ２に対する透光ケース３の大小は、径、全長共に特に規定されるものでない。透光ケース３には、湿気、衝撃などから光源ランプ２を保護するという効果があり、透明なガラス、樹脂などから形成される。透光ケース３の材質は強化ガラス、ポリカーボネート、アクリル樹脂などが挙げられる。また、拡散性、光波長選択性などを付与するために、透光ケース３を半透明状にすることも可能である。
【００３３】
透光ケース３は断面円形でなくてもよく、光源ランプの全体を収納する必要はなく、その中間部の全方位を覆う必要もない。例えば、光源ランプ２が設置箇所たる壁面などに埋め込まれる形態であれば、透光ケース３は、その壁面以外であって光源ランプを掩蓋するように設けられればよい。光源ランプ２が透光ケース３の内部に嵌入、挿入などされて収納される態様でなくとも、光源ランプ２の外周、透光ケース３の内壁及びその他の形状に対応して、固定部材が光源ランプ2及び透光ケース3の間隙４ａを介して光源ランプ２を固定することは可能である。
【００３４】
ランプソケット５は、端部２ａで光源ランプ２に固定される部品である。図３に示すように、従来型の全方位に配向できる光源ランプを想定したランプソケット５は、回転Ｒを防止できない。図３（ａ）に見られるように、ランプソケット５と光源ランプ２の端部２ａとの間に係合が確かになるための部位は存在するものの、図３（ｂ）からも判るように、照明装置はゴムリング４除き、光源ランプ２、透光ケース３、ランプソケット５及び外部のいずれにも回転Rを防ぎ、照射角Dを固定する手段を欠く。
【００３５】
図１において、クランプ６は、透光ケース３を把持して照明装置１全体を固定する。これら部材により、光源ランプ２は、並進しなくなるが、やはり回転Ｒは不可避である。クランプ６の構造は透光ケース３の内部にまで及んでいないためである。間隙４ａは狭いため、透光ケース３自身に透光ケース３を通じて回転止め機能を持たせることも困難である。クランプ６は、ランプソケット５と連結することによって照明装置１を所定位置に据え付けることも可能であり、クランプ６をランプソケット５と係合などして連結させるような形態にすることも可能ではあるが、こうなると、その形状が複雑となり当該連結箇所に大きな力が加わることとなるため、賦形性や経済性の観点のみならず、強度の観点からも構造上不利である。よって、クランプ６は透光ケースを把持する形態が望ましい。
【００３６】
ゴムリング４は、弾性材を含んでなる回り止め部材（固定部材）であり、図１のように光源ランプ２と透光ケース３との間隙４ａを介して光源ランプ２を保持する。ゴムリング４は、全体として円環状で充分な弾性と摩擦を発揮し、光源ランプ２を回転させない滑り止めとして機能する。図２に図示するゴムリング４は、円環状の本体部４１とリブ４２とで形成される。本実施形態では、ゴムリング４が光源ランプ２のブッシング２１に付けられており、本体部４１は弛まないように装着されるためにブッシング２１より径の小さいものである。ゴムリング４の装着される場所は、その寸法と対応する光源ランプ２の部位の寸法に規定され、ゴムリング４が照明装置１の固定部材として機能する限り特に指定はない。ゴムリング４は、光源ランプ２の中間部２ｂなどに装着することも可能である。リブ４２は、図２（ａ１）、（ａ２）及び（ａ３）のように本体部４１の径方向外側に向かってほぼ等間隔に放射状に形成される。リブ４２の形成される箇所は、ゴムリング４が間隙４ａの一部を充填して照明装置１の固定部材として機能する限り特に指定はなく、状況に応じて適宜に決定すればよい。
【００３７】
回転止めとして用をなす限り固定部材の形状に特に制限はないが、容易に着脱自在に光源ランプ２の周囲に装着できる点で、固定部材は本実施形態に見られるような本体部４１を有するのが望ましい。さらに図４に示すように、光源ランプ２を照明装置１に据え付ける作業において、透光ケース３との摩擦が抑制され、挿入が円滑になる点から、ゴムリング４のリブ４２は、図２（ａ１）、（ａ２）及び（ａ３）のような、本体部４１の周方向に沿って間欠的に設けられ、外周側に向かう複数の放射状の小突起であるのが望ましい。このようなリブ４２のない形態も可能であるが、光源ランプ２の挿入は本実施形態ほど円滑でなくなる虞がある。
【００３８】
固定部には、放射状のリブの代わりに、例えば図２（ｂ１）、（ｂ２）及び（ｂ３）のように、全周に亘って形成されたリブでもよい。これら固定部は全周に亘るものであっても、断続的なものであってもよい。さらに、本体部が断面視台形又は断面視三角形のテーパー状のもの、図２（ａ１）、（ａ２）及び（ａ３）のようなリブをコブ状にしたもの、図２（ｂ１）、（ｂ２）及び（ｂ３）のリブの全幅が大きくなり本体部外面に切れ込みを入れただけものなども適用可能である。よって、突起部の形状は、直線、曲線、コブ状又はテーパー状の隆起であり、これら形状の一つ又は複数がなりうる。いずれにしても、寸法、形状などその態様は光源ランプ２の透光ケース３への挿入作業において、ゴムリング４の本体部４１の外面４１ａで生ずる接触面積がその内周面でより充分に小さく挿入作業に支障を来さなければよく、使用状況に応じて適宜調整できる。
【００３９】
これらの中で、様々な間隙の大小に対応しやすい点から、周方向又は径方向に向かって形成されたリブが望ましい。内周側は全面的に光源ランプに接触しているのが望ましい。加工の容易である点から、周方向に放射状に形成されたリブが更に望ましい。放射状に形成されたリブ４２は、設置完了時に隙間４ａにおいて透光ケース３の内部全域と外部とを空間的に連通させるので、点灯による副作用たる熱が排気されるという冷却の観点からも、尚望ましい。
【００４０】
ゴムリング４の本体部４１やリブ４２は、図２などから判るような、回転対称であり、且つその回転軸と垂直な平面において面対称である。ここで、回転対称はリブ４２の個数と位置とから８回対称でもある。つまり本体部４１には、輪になった帯状のバンドの外面４１ａに、装着時に透光ケース３の外部へ張り出すべき蓋状又は傘状、鉤状の構造がない。例えば、図２（ａ１）、（ａ２）及び（ａ３）は、８回対称軸の方向から見て、図１、図３及び図４で用いられるゴムリング４のそれぞれ斜視図、正面図及び側面図である。ゴムリング４は、このような簡素な形状であるので、製造や加工するのが更に簡易である。固定部材が蓋構造を有すると、この形状を光源ランプ２の端部２ａや透光ケース３の開口３ａに対応させねばならず、汎用性に劣る。
【００４１】
そして図１、図３及び図４などから明らかなように、ゴムリング４は前記透光ケース３の開口３ａより内側で光源ランプ２を保持し、装着時には、ゴムリング４の全体が透光ケース３の内部に収納される。このような構造や位置取りを採れば、固定部材が光源ランプ２や透光ケース３のソケット、キャップなどとして回り止めとなるのと違い、光源ランプ２の端部２ａや透光ケース３の開口３ａに関わらずに回り止めを適用するのが可能となる。よって、本発明では、着脱可能なゴムリング４を付けるだけであり、従来の光源ランプ２や透光ケース３、それらの付属部品に形状の変更も部材の追加も必要ない。
【００４２】
リブ４２は、本体部４１の径方向外周に向かう短く、狭小な弾性的且つ摩擦的なコブ又はヒダである。その形状、長さ、高さは、光源ランプ２の回り止めとして機能し、且つ光源ランプ２を透光ケース３に挿入する過程を阻害しない限り特に指定されず、状況に応じて決定すればよい。形状は、光源ランプ２を捻りながら挿入しやすくするため螺旋にしてもよい。配置箇所は、回り止めの効果のため３箇所以上を全方位に亘って等間隔に設定し、極端に局在化させない方がよい。高さは、透光ケース３のような狭い場所に光源ランプ２を挿入するために制限すべきであり、低さは、ゴムリング４を装備した時にリブ４２が潰れて光源ランプ２と透光ケース３とを圧着する効果を期して制限すべきである。
【００４３】
ゴムリング４は、少なくともリブ４２及び本体部４１の一部が弾性体であり柔軟性があるので、リブ４２は適当な大きさ、配置などを設定する限り、着脱自在であり、しかも光源ランプ２の姿勢を固定及び維持できる。よって、ゴムリング４により、光源ランプ２を把持する構造（例えば小さなクランプなど）を導入するのが困難な狭い間隙４ａにも、容易に回り止めを追加でき、さらに、既存の部材の占めるべき空間を排除しない。同時に、透光ケース３を取り変える、開口３ａを従来と別の形状に変えるなどの施工作業も不要である。ゴムリング４は、着脱自在であるため光源ランプ２の交換や再調整が容易である。
【００４４】
本実施形態では、ブッシング２１に装着されているが、ゴムリング４は中間部２ｂにも装着可能なので、ブッシング２１がキャップなどに接触する場合は、固定箇所を中間部２ｂに変更できる。また、同時に、ランプソケット５にも抵触しないため、ゴムリング４はランプソケット５の形状に依存せずに適用でき、汎用のソケットを使用し続けることができる。そして、キャップを透光ケース３に嵌合させてなる構造にも影響を与えない。図１及び図４では、固定箇所は透光ケース３の両端２箇所であるが、片端のみで給電する光源では１箇所だけでも奏功し得るし、必要に応じて滑り止めの力を大きくするために３箇所以上で固定してもよい。
【００４５】
ゴムリング４の材質は、光源ランプ２の挿入作業と滑り止めために、それぞれ柔軟性と高い摩擦係数を持たねばならない。硬度や柔軟性は、透光ケース３と光源光源ランプ２との間隙４ａの状態、照明装置１の置かれる環境や温度、湿度など使用状況に応じて適宜に定める。具体的にはシリコンゴム、エチレンプロピレンゴム、ノルボルネンゴム、アクリルゴムなどが挙げられる。これら樹脂本来の特性に加えて、滑り止めの機能を高めるために、透光ケース３の内周を加工してリブ４２と契合させるようにしてもよい。リブ４２と契合する部分は、噛み合わせとなる凹凸シールなどを貼り付けるか、透光ケース３そのものに若干の変形を加えることで設けることができる。光源ランプ２の挿入を更に容易とするためには、リブ４２の直下で本体部４１の内周側に、光源ランプ２への密着性や機械的強度を損なわない程度に小さな溝穴を設けて、弾性的なリブ４２を更に凹みやすくするなどの設計ができる。
【００４６】
一方、これら樹脂の経年劣化に対抗して、使用数年後においてもゴムリング４の機械的強度を保つために、ゴムリング４を光源ランプ２に装着しこれを透光ケース３に挿入可能な程度に、ゴムリング４の内部又は表面に強化構造を与えられる。例えば、本体部４１の内周にゴムより丈夫で機械強度のある樹脂の皮膜を施すか、本体部４１の内部にゴムより丈夫で機械強度のある骨格構造を持たせるなどがある。皮膜は、塗布又は蒸着で形成するなどにより可能である。そして、骨格構造は、細く薄く線状か帯状に、円環状に金属線又はゴムより丈夫な樹脂をインサート成形し、或る程度劣化しても本体部４１の断裂しないように芯材を形成することで可能である。
【００４７】
次に、図４を参照して、本実施形態の照明装置１の組立方法を説明する。光源ランプ２は、直管型で且つ長い円柱状であり、ソケットの装着される箇所は両端の２箇所である。光源ランプ２を内部に収納する透光ケース３は、図１におけるのと同様、ほぼ筒状であり、開口３ａの口径は光源ランプ２のものをやや上回る。ゴムリング４は、本体部４１の径がゴムリング４の装着される位置における光源ランプ２の径と同程度であり、リブ４２及びその直下の本体部４１の高さが光源ランプ２と透光ケース３との間隙４ａの長さとほぼ同じ、即ち当該装着位置の光源ランプ２の半径による透光ケース３のものから差と同程度である。ゴムリング４は、間隙４ａに配置され、自身を介して光源ランプ２を透光ケース3に保持する。
【００４８】
まず、図４（ａ）のように、ゴムリング４を光源ランプ２の片端に挿通して装着する。その装着される位置は、ブッシング２１である。図２（ａ１）に見られるようにゴムリング４の内周は平滑であり、ここで光源ランプ２と接する。リブ４２は光源ランプ２の外部に向かうようにしておく。
【００４９】
次に、図４（ｂ）のように、光源ランプ２の片端にゴムリング４を挿通して装着して、開口部３ａを通して、その反対の、ゴムリング４の付いていない端部２ａから透光ケース３に光源ランプ２の大部分を挿入する。これと同様の状態に至るのに、予め光源ランプ２を挿入しておき、後から光源ランプ２の片端の、透光ケース３から露出する箇所にゴムリング４装着してもよい。
【００５０】
それから、図４（ｃ）のように、その反対の片端を透光ケース３から覗かせる。挿入された端部２aを進めて、透光ケース３の内部を行かせると、装着されたゴムリング４が透光ケースの内壁と摩擦を生ずるが、専らリブ４２が接触し撞着するから、上述のように間隙４ａの狭さにかかわらず、挿入作業は難儀無く行える。また、透光ケース３をくぐる前の端部でなく、透光ケース３をくぐった後の方の端部にゴムリング４を付けて、それから、このゴムリング４の付いた端部を透光ケース３内部に引き込むことにより同様の状態に至ることもできる。
【００５１】
それから、図４（ｄ）のように、透光ケース３のもう片端の開口３ａから覗かせたもう片端にもゴムリング４を装着する。これと同様の状態に至るのに、予め端部２ａの両方にゴムリング４の付いたを光源ランプ２を透光ケース３に挿入するのも可能であるが、両の端部２ａにゴムリング４の装着された光源ランプ２を透光ケース３に収納された状態にする工程においては、できるだけ摩擦の発生する機会を少なくすべきであるので、ゴムリング４の未装着である端部２aを透光ケース３に挿入して、これをくぐらせてからもう片端の開口３ａまで進めてしまうのがよい。尚、透光ケースの筒状でない形態では、光源ランプ２を設置箇所に載置した後から透光ケースを上から光源ランプ２に被せられることもありうる。
【００５２】
そして、図４（ｅ）のように、次にゴムリング４の装着された端部２aを透光ケース３の内部に戻して、透光ケース３に収納した光源ランプ２を固定する。この工程においても、上述のとおり、リブ４２の接触形態の特性故、ゴムリング４の外周（リブの形成された外面４１ａにリブ４２を含めた部位）を透光ケース３の内壁に接触させながら、光源ランプ２を透光ケース３の内部で動かして適宜に配光を調節することができる。こののち、光源ランプ２の入った透光ケース３をクランプ６で所定位置に固定して、図１の状態とする。
【００５３】
しまいに、図３（ａ）及び（ｂ）のようにランプソケット５を付けて光源ランプ２を通電させると照明装置１は完成である。尚、照明装置１の設計によっては、クランプ６に固定したまま、上記の各工程を踏んで光源ランプ２を透光ケース３に収納することもできる。同じく、クランプ６に光源ランプ２及び透光ケース３を据え付けるのを、光源ランプ２にランプソケット５を嵌めて後にすることもできる。
【００５４】
展示用冷蔵ケースなどに設置された照明装置１には、従来型の蛍光灯などを前提にしているものがあり、これらは全方位に光束が向かうことを前提としている。このような旧来型の照明装置１においては、発光ダイオード、有機ＥＬなどを用いた一方向性の直管型の光源ランプ２は、質量分布が円筒の回転対称軸に対して不均衡であるため、光源が上向きに転覆して投光のずれる虞があったところ、本発明を適用すれば、回転止めにより配光が不如意にずれるのを抑止できる。さらに、本発明の回転止めによれば、光源ランプ２の端子やソケット、ケースの元来の形状に制約されず、照明装置１のこれら部位の改造もすることなく汎用のソケット及びその他既存の設計を継続して用いることが可能となる。
【符号の説明】
【００５５】
１  照明装置，
２  光源ランプ，
２ａ  端部，
２１  ブッシング，
２２  口金，
２３  ランプピン，
２ｂ  中間部，
２４  カバー部，
２５  ヒートシンク部
３  透光ケース，
３ａ  開口，
４  ゴムリング（固定部材），
４ａ  光源ランプと透光ケースとの間隙，
４１  本体部，
４１ａ  外面，
４２  リブ（突起部），
５  ランプソケット，
６  クランプ，
Ｒ  回転，
Ｄ  照射角
【図１】
2012109068.tif 000003
【図２】
2012109068.tif 000004
【図３】
2012109068.tif 000005
【図４】
2012109068.tif 000006